(57)【要約】【課題】機器本体１０５と別途リセットスイッチ１０１を押すための棒体１０６を準備しておかないと、リセットスイッチ１０１を押すことができず、機器本体１０５を電気的に再起動させることができず、操作性を低下させていた。【解決手段】ビデオカメラにおいて機器本体２０５のレンズ鏡筒先端に脱着可能かつ、ストラップ２０３により機器本体２０５に繋げられることができ、レンズ部２０４を外的要因から保護するためのレンズキャップであって、機器本体２０５に設けられているリセットスイッチ２０１（本体再起動スイッチ）を、押すことが可能な細い棒状の突起２０２ａを設けることで、別途リセットスイッチ２０１を押すための細い棒状のもの（ボールペンなど）を準備することなく、機器本体２０５に繋げられたレンズキャップ２０２によりリセットスイッチ２０１をイ方向に押すことが可能になる。【選択図】  図１
2004235807.tif 000002
【特許請求の範囲】
【請求項１】
被写体を撮影する撮影手段を有する撮像装置であって、前記撮像手段の破損や汚れを防ぐ保護手段と、本装置を電気的に再起動するリセット手段と、前記リセット手段を操作する操作手段とを備え、前記操作手段は前記保護手段に設けられていることを特徴とする撮像装置。
【請求項２】
リセット手段は、少なくとも操作手段により操作可能な大きさを有することを特徴とする請求項１記載の撮像装置。
【請求項３】
被写体を撮影する撮影手段を有する撮像装置であって、前記撮像手段に着脱自在でかつ前記撮像手段の破損や汚れを防ぐ保護手段と、一端を前記保護手段に固定し他端を本装置に固定した紐状の保持手段と、本装置を電気的に再起動するリセット手段と、前記保護手段に設けられかつ前記リセット手段を操作する操作手段とを備え、前記保持手段の長さは、前記保護手段を前記撮像手段に対して着脱可能でかつ、前記操作手段が前記リセット手段を操作可能な長さを有することを特徴とする撮像装置。
【発明の詳細な説明】
【０００１】
【発明の属する技術分野】
本発明はビデオカメラやデジタルカメラ等の撮像装置に関するものであり、レンズキャップに関するものである。
【０００２】
【従来の技術】
近年、ビデオカメラやデジタルカメラ等電子機器において、機器本体が異常の際に、本体機器を再起動するためのスイッチ（リセットスイッチ等、以下リセットスイッチ）が設けられており、通常使用時に誤って押してしまうことのないように、小さな形状で機器本体表面より奥まった位置に配置されていることが多い。いずれも細い棒状のもの（ボールペン等）を別途準備しないと、リセットスイッチを押して機器本体を再起動することができない構成となっている。
【０００３】
以下、図を参照しながら従来の撮像装置の構成について説明する。
【０００４】
図４、図５は従来の撮像装置の一例として、ビデオカメラの斜視図および側面図である。図６は図４に示すビデオカメラおいて、リセットスイッチ部周辺の断面図である。図４、図５、図６において、１０５はビデオカメラなどの機器本体、１０１は機器本体１０５の側面に設けられたリセットスイッチ、１０２は機器本体１０５に設けられたレンズ部１０４を保護するためにレンズ部１０４の先端に着脱自在なレンズキャップ、１０３は一端がレンズキャップ１０２に固定され他端が機器本体１０５に固定されたストラップで、このストラップによりレンズキャップ１０２が機器本体１０５に対して保持されることとなり、レンズキャップ１０２の紛失や落下を防止することができる。１０６は細い棒状のものからなる棒体であり、少なくともリセットスイッチ１０１を操作可能な太さを有するものであればよく、例えばボールペンなどのように先端が細いものであればよい。
【０００５】
以上のように構成された従来のカメラについて、以下その動作について説明する。
【０００６】
図４、図５においてビデオカメラ機器本体１０５には、機器本体が異常の際に、機器本体を電気的に再起動させるためのリセットスイッチ１０１が設けられている。リセットスイッチ１０１は通常使用状態の際に、使用者が誤って押してしまわないように、小さい形状かつ機器本体１０５の表面より奥まった位置に配置されている。
【０００７】
図６に示すように、リセットスイッチ１０１を押して機器本体を再起動する際には、ボールペンなどの細い棒状の棒体１０６を用いて、矢印ア方向に移動させて棒体１０６の先端でリセットスイッチ１０１を押すことで、機器本体１０５を電気的に再起動させることができる。
【０００８】
【特許文献１】
特開２００１−２６４８４９号公報
【０００９】
【発明が解決しようとする課題】
しかしながら上記従来の構成では、図６に示すように機器本体１０５と別途リセットスイッチ１０１を押すための棒体１０６を準備しておかないと、リセットスイッチ１０１を押すことができず、機器本体１０５を電気的に再起動させることができず、操作性を低下させていた。
【００１０】
本発明は上記の問題点を解決するもので、ビデオカメラ機器本体にストラップ等で繋げられており、ビデオカメラ機器本体レンズ部に自在に脱着できるレンズキャップを用いることで、別途細い棒状のものを準備することなく、リセットスイッチを押すことが可能なレンズキャップを提供することを目的とする。
【００１１】
【課題を解決するための手段】
この目的を達成するために本発明のレンズキャップは、被写体を撮影する撮影手段を有する撮像装置であって、前記撮像手段の破損や汚れを防ぐ保護手段と、本装置を電気的に再起動するリセット手段と、前記リセット手段を操作する操作手段とを備え、前記操作手段は前記保護手段に設けられているものであって、レンズキャップにリセットスイッチを押すための、最小限の高さで細い棒状の突起を設ることで、別途細い棒状のものを準備することなく、リセットスイッチを押すことが可能で、突起を最小に抑えることで触れても痛くなく、外観形状も損なうことのないレンズキャップを実現することができる。
【００１２】
【発明の実施の形態】
本発明の請求項１〜３に記載の発明は、被写体を撮影する撮影手段を有する撮像装置であって、前記撮像手段の破損や汚れを防ぐ保護手段と、本装置を電気的に再起動するリセット手段と、前記リセット手段を操作する操作手段とを備え、前記操作手段は前記保護手段に設けられているものであって、レンズキャップに細い棒状の突起を設けることで、別途ボールペンなどのようにリセットスイッチを操作可能なものを用意することなく、ビデオカメラ等の機器本体に設けられているリセットスイッチ（本体再起動スイッチ）を操作可能な構成を実現できるという作用を有する。
【００１３】
以下、本発明の実施の形態について、図面を用いて説明する。
【００１４】
（実施の形態１）
図１、図２は本発明の実施の形態のカメラの構成を示す斜視図および側面図である。図３（ａ）は図１に示すビデオカメラのスイッチ部周辺のＡ−Ａ断面図、図３（ｂ）はリセットスイッチ近傍の要部断面図である。
【００１５】
図において、２０５はビデオカメラなどの機器本体で、本実施の形態ではビデオカメラとしたが、例えばデジタルスチルカメラなどのように、電気的なリセットスイッチを有し、レンズキャップを使用するものであればよい。２０４は機器本体２０５に設けられ光信号が入射するレンズからなる撮像手段であるレンズ部である。
【００１６】
２０１は機器本体２０５の側面に設けられたリセット手段であるリセットスイッチで、機器本体２０５が誤動作した際に電気的に機器本体２０５のリセット動作を行うためのものである。なおリセットスイッチ２０１は、使用者による誤操作を防止するために、機器本体２０５の表面に小さな孔２０５ａを設け、その孔２０５ａの奥まった位置に設けられている。また、本実施の形態では、リセットスイッチ２０１は、使用者が機器本体２０５を保持した際に使用者の手が把持する部位に設けた。またリセットスイッチ２０１は、未操作状態では図３（ｂ）に示す位置にあるが、突起２０２ａによって押圧操作されることで矢印Ｃ方向にストロークし、リセットスイッチ２０１のストローク端に配された端子に電気的に接触することでリセット動作が行われる。
【００１７】
２０２は機器本体２０５に設けられたレンズ部２０４を保護するためにレンズ部２０４の先端に着脱自在な保護手段であるレンズキャップ、２０３は一端がレンズキャップ２０２に固定され他端が機器本体２０５に固定されたストラップで、このストラップ２０３によりレンズキャップ２０２が機器本体２０５に対して保持されることとなり、レンズキャップ２０２の紛失や落下を防止することができる。なおストラップ２０３の長さは、レンズキャップ２０２をレンズ鏡筒先端に対して着脱可能でかつ、レンズキャップ２０２に設けられた突起２０２ａがリセットスイッチ２０１を操作可能な長さを有する。
【００１８】
２０２ａはレンズキャップ２０２に設けられた操作手段である突起で、この突起２０２ａはリセットスイッチ２０１を操作するためのものであり、少なくともリセットスイッチ２０１を操作可能な太さ及び長さを有している。本実施の形態では突起２０２ａは、レンズキャップ２０２をレンズ鏡筒先端に着脱する際の妨げにならず、かつ目立たない位置として、レンズキャップ２０２におけるストラップ２０３が固定された部位近傍に設けた。
【００１９】
以上のように構成された本実施の形態の撮像装置について、以下その動作について説明する。
【００２０】
図１及び図２に示すようにレンズキャップ２０２は、機器本体２０５に設けられたレンズ部２０４を、埃や傷などから保護するために、矢印Ｂ方向へ移動させてレンズ鏡筒先端に装着できるようになっている。また、機器本体２０５を用いて被写体像などを撮影する際は、レンズキャップ２０２をレンズ鏡筒先端から離脱させ、レンズ部２０４に光信号が入射可能な状態にしてから撮影動作を行うことで、撮影が可能になる。レンズキャップ２０２は、レンズ鏡筒先端から離脱した際に紛失や落下しなように、ストラップ２０３によって機器本体２０５に保持されている。
【００２１】
次に、機器本体２０５が誤動作をした際に使用者が行うリセット操作について説明する。
【００２２】
機器本体２０５の側面には、リセットスイッチ２０１が設けられており、機器本体２０５に異常動作が発生した際に、このリセットスイッチ２０１を操作することで、機器本体２０５を電気的にリセット（再起動）させることができ、異常動作を解消させることができる。
【００２３】
リセットスイッチ２０１は、通常使用時に使用者が誤操作してしまわないように、図３に示すように、機器本体２０５に設けられた孔２０５ａの奥（寸法Ｌ４分）に設けられている。そしてこの孔２０５ａは、突起２０２ａを挿入可能な大きさと、突起２０２ａによりリセットスイッチ２０１を操作可能な深さを有している。つまり図３（ｂ）に示すように、孔２０５ａの直径をＬ１、突起２０２ａの外径をＬ２とした時、
Ｌ１＞Ｌ２
の関係が成り立つように寸法設定されている。また、機器本体２０５の表面からリセットスイッチ２０１までの距離をＬ４、リセットスイッチ２０１のストローク量をＬ３，突起２０２ａの長さをＬ５とした時、
Ｌ３＋Ｌ４＜Ｌ５
の関係が成り立つように寸法設定されている。一般に孔２０５ａは、リセットスイッチ２０１は誤操作を防止するために、比較的小さく構成されており、それに伴い突起２０２ａも小さく細いものとなっている。
【００２４】
このリセットスイッチ２０１を操作する際は、図３に示すように、レンズキャップ２０２に設けられた突起２０２ａを、矢印イ方向へ移動させ、機器本体２０５の孔２０５ａに挿入する。さらに突起２０２ａを矢印イ方向へ移動させることで、突起２０２ａの先端が孔２０５ａの奥に配されたリセットスイッチ２０１を押すことなる。そうすることで、リセットスイッチ２０１に電気的に接続されたリセット回路（図示せず）が動作し、機器本体２０５を電気的にリセット（再起動）させることができる。
【００２５】
ここで、ストラップ２０３は、レンズキャップ２０２を機器本体２０５のレンズ鏡筒先端に装着可能でかつ、レンズキャップ２０２をレンズ鏡筒先端から離脱した際に操作性を妨げない程度の、長さを有している。これに伴いリセットスイッチ２０１は、レンズキャップ２０２に設けられた突起２０２ａにより操作可能な位置、つまり前述にて定義した長さのストラップを用いた際に、突起２０２ａによってリセットスイッチ２０１を操作可能な位置に設けている。
【００２６】
以上のように本実施の形態によれば、図３に示すように、ビデオカメラにおいて機器本体２０５のレンズ鏡筒先端に脱着可能かつ、ストラップ２０３により機器本体２０５に繋げられることができ、レンズ部２０４を外的要因から保護するためのレンズキャップであって、機器本体２０５に設けられているリセットスイッチ２０１（本体再起動スイッチ）を、押すことが可能な細い棒状の突起２０２ａを設けることで、別途リセットスイッチ２０１を押すための細い棒状のもの（ボールペンなど）を準備することなく、機器本体２０５に繋げられたレンズキャップ２０２によりリセットスイッチ２０１をイ方向に押すことが可能になる。
【００２７】
また、リセットスイッチ２０１を奥に有した孔２０５ａは、少なくとも突起２０２ａが挿入可能な大きさにすることにより、孔２０５ａ及びリセットスイッチ２０１を極力小さくすることができ、装置本体２０５の小型化を実現することができる。
【００２８】
なお、リセットスイッチ２０１は、機器本体２０５の把持部に設けたが、レンズキャップ２０２の突起２０２ａによって操作可能な位置であれば、他の位置でもよい。例えば、リセットスイッチ２０１をレンズ部２０４の近傍に配するようにすれば、レンズキャップ２０２の移動量をさらに少なくできるので、ストラップ２０３の長さをさらに短くすることができ、品格を向上させることができる。
【００２９】
【発明の効果】
以上のように本発明のレンズキャップによれば、ビデオカメラ等の機器本体に設けられているリセットスイッチ（本体再起動スイッチ）を、別途細い棒状のものを準備することなく、機器本体に繋げられているレンズキャップにより、押すことが可能になり、操作性を向上させることができるという優れた効果を得られる。
【図面の簡単な説明】
【図１】本発明の実施の形態の撮像装置の斜視図
【図２】本発明の実施の形態の撮像装置の側面図
【図３】（ａ）同実施の形態におけるリセットスイッチ付近の断面図
（ｂ）同要部断面図
【図４】従来の撮像装置の斜視図
【図５】従来の撮像装置の側面図
【図６】従来の撮像装置のリセットスイッチ付近の断面図
【符号の説明】
２０１  リセットスイッチ
２０２  レンズキャップ
２０２ａ  突起
２０３  ストラップ
２０４  レンズ部
２０５  機器本体
【図１】
2004235807.tif 000003
【図２】
2004235807.tif 000004
【図３】
2004235807.tif 000005
【図４】
2004235807.tif 000006
【図５】
2004235807.tif 000007
【図６】
2004235807.tif 000008